(57)【要約】【課題】本発明は、アレイテスト装置と、アレイテスト装置の基板一地点位置測定方法と、カメラアセンブリーに撮像された特定位置座標測定方法を提供する。【解決手段】本発明のアレイテスト装置は、テストされる基板を支持するテスト部を備える。少なくとも一つのモジュレータヘッドは、テスト部上に隣接配置され少なくともテスト部に位置した基板の不良位置を検出する。モジュレータヘッドは、固定ブロックを備える。カメラアセンブリーは、基準カメラ及び隣接カメラが一定に配されるように、固定ブロックに結合される。座標測定用モジュレータブロックは、固定ブロックに分離可能に結合され、カメラアセンブリと基板との間に位置し、カメラアセンブリを成すカメラの焦点距離に合わせて配された位置表示部材を備える。位置表示部材は、基準カメラによって撮像される基準位置マーク及び隣接カメラに撮像される少なくとも一つの対応位置マークが形成される。【選択図】図１
2010156684.tif 000002
【特許請求の範囲】
【請求項１】
テストされる基板を支持するテスト部と、
前記テスト部の上に隣接して配されて、少なくとも前記テスト部に位置した基板の不良位置を検出する少なくとも一つのモジュレーターヘッドと、を含むものであって、
前記モジュレーターヘッドは、
固定ブロックと、
基準カメラ及び少なくとも一つの隣接カメラが一定に配されるように、前記固定ブロックに結合されたカメラアセンブリーと、
前記固定ブロックに分離可能に結合されたものであって、前記カメラアセンブリーと前記基板との間に位置し、前記カメラアセンブリーを成すカメラの焦点距離に合わせて配された位置表示部材を備える座標測定用モジュレーターブロックと、を備え、
前記位置表示部材は、前記基準カメラによって撮像される基準位置マーク及び前記隣接カメラのそれぞれに撮像される少なくとも一つの対応位置マークが形成されたことを特徴とするアレイテスト装置。
【請求項２】
前記位置表示部材には、
前記位置マークのそれぞれに一定の間隔を有して平行に形成された長さマークが、前記それぞれのカメラに対応して少なくとも一つずつ配されたことを特徴とする請求項１に記載のアレイテスト装置。
【請求項３】
前記基準位置マーク及び前記対応位置マークの間の実際隔離距離と、前記カメラのＦＯＶが正確にかみ合う場合の基準位置マーク撮像ピクセル及び対応位置マーク撮像ピクセルの間の基準隔離距離との間の差を求め、前記離隔ピクセルのそれぞれのピクセルの位置座標値を前記基準ピクセルの基準ピクセルを基準に求める制御部をさらに備えることを特徴とする請求項１に記載のアレイテスト装置。
【請求項４】
前記座標測定用モジュレーターブロックと置き換えて、前記固定ブロックの下面に昇降自在に結合されて、基板上の形成された不良電極の位置をティーチングするテスト用モジュレーターブロックをさらに備えることを特徴とする請求項１に記載のアレイテスト装置。
【請求項５】
請求項１の構造を有したアレイテスト装置で、前記基板の一地点の位置を測定する方法であって、
前記隣接カメラ上のピクセルのそれぞれの位置座標を前記基準カメラの基準ピクセルを基準に求める段階と、
前記基板の既定の基準点を基準にした前記基準カメラの前記基準ピクセルの位置座標値を求める段階と、
前記基準点を基準にした基準ピクセルの位置座標値及び前記基準ピクセルを基準にした前記基板の一地点を撮像したピクセルの位置座標値を加算する段階と、
を含むことを特徴とするアレイテスト装置の基板一地点位置測定方法。
【請求項６】
前記隣接カメラのうち少なくとも一つは、前記基準カメラと第１軸の正方向に離隔配され、前記基準カメラと第１軸の正方向に離隔した隣接カメラ上のピクセルのそれぞれの位置座標を求める段階は、
基準位置マーク及び対応位置マークの間の第１軸方向の実際隔離距離と、前記カメラのＦＯＶが正確にかみ合う場合の基準位置マーク撮像ピクセルと対応位置マーク撮像ピクセルとの間の第１軸方向の距離である基準隔離距離との間の差である第１オフセット値を含めて、基準位置マーク及び対応位置マークの間のオフセット値を求める段階と、
前記オフセット値を用いて、前記隣接カメラのピクセルのそれぞれの位置座標値を前記基準カメラの基準ピクセルを基準に求める段階と、
を含むことを特徴とする請求項５に記載のアレイテスト装置の基板一地点位置測定方法。
【請求項７】
前記基準隔離距離を求める段階は、
前記基準カメラの、前記基準位置マーク撮像ピクセルから前記第１軸の正方向側の最後のピクセルまでの第１距離を求める段階と、
前記隣接カメラの、前記対応位置マーク撮像ピクセルから前記第１軸の逆方向側の最後のピクセルまでの第２距離を計算する段階と、
前記第１距離及び第２距離を加算する段階と、
を含んでなることを特徴とする請求項６に記載のアレイテスト装置の基板一地点位置測定方法。
【請求項８】
前記第１距離を求める段階は、
前記基準カメラの単位ピクセル当たり距離に、前記基準位置マーク撮像ピクセルから前記第１軸の正方向側の最後のピクセルまでのピクセル数を乗算することでなり、
前記第２距離を求める段階は、
前記隣接カメラの単位ピクセル当たり距離に、前記対応位置マーク撮像ピクセルから前記第１軸の逆方向側の最後のピクセルまでのピクセル数を乗算することでなることを特徴とする請求項７に記載の特定ピクセル位置測定方法。
【請求項９】
前記オフセット値を求める段階は、前記隣接カメラの前記第１軸と直交する第２軸方向のオフセット値である第２オフセット値を求める段階をさらに含み、
前記第２オフセット値を求める段階は、
前記対応マーク撮像ピクセルから、前記隣接カメラの前記第２軸方向の一端ピクセルまでの距離である第３距離を求める段階と、
前記基準マーク撮像ピクセルから、前記基準カメラの前記第２軸方向の一端ピクセルまでの距離である第４距離を求める段階と、
前記第３距離と前記第４距離との差を求める段階と、
を含むことを特徴とする請求項６に記載のアレイテスト装置の基板一地点位置測定方法。
【請求項１０】
前記基準カメラ及び前記隣接カメラのそれぞれの単位ピクセル距離を測定する段階をさらに含むことを特徴とする請求項５に記載のアレイテスト装置の基板一地点位置測定方法。
【請求項１１】
前記位置表示部材には、前記位置マークのそれぞれに一定の間隔を有して平行に形成された長さマークが、前記それぞれのカメラに対応して少なくとも一つずつ配され、
前記基準カメラ及び前記隣接カメラのそれぞれの単位ピクセル距離を測定する段階は、前記それぞれのカメラに対応する位置マーク及び長さマークの間の距離を、前記位置マークが撮像されたピクセルと前記長さマークが撮像されたピクセルとの間のピクセル個数で除算することでなることを特徴とする請求項１０に記載のアレイテスト装置の基板一地点位置測定方法。
【請求項１２】
前記アレイテスト装置は、
前記座標測定用モジュレーターブロックと置き換えて、前記固定ブロックの下面に昇降自在に結合されて、基板上の形成された不良電極の位置をティーチングするテスト用モジュレーターブロックをさらに備え、
前記隣接カメラ上のピクセルのそれぞれの位置座標を前記基準カメラの基準ピクセルを基準に求める段階は、前記座標測定用モジュレーターブロックが装着された状態からなり、
前記基板の既定の基準点を基準にした前記基準カメラの基準ピクセルの位置座標値を求める段階は、前記テスト用モジュレーターブロックが装着された状態からなることを特徴とする請求項５に記載のアレイテスト装置の基板一地点位置測定方法。
【請求項１３】
基準カメラ及び少なくとも一つの隣接カメラを含み、少なくとも水平移動可能なカメラアセンブリーを備えた装備で、前記隣接カメラの特定ピクセルに撮像された位置を測定する方法であって、
前記基準カメラに撮像される基準位置マーク及び前記隣接カメラに撮像され、前記基準位置マークと第１軸の正方向に実際隔離距離ほど離隔した対応位置マークとを配置させる段階と、
前記基準、対応位置マークを前記基準、対応カメラでそれぞれ撮像する段階と、
前記基準カメラのＦＯＶ及び隣接カメラのＦＯＶが正確にかみ合う場合の前記基準、対応位置マーク撮像ピクセル間の距離である基準隔離距離を求める段階と、
前記基準、対応位置マーク間の実際隔離距離及び基準隔離距離を用いて、前記離隔カメラの特定ピクセル位置座標を前記基準カメラの基準ピクセルを基準に求める段階と、
を含むことを特徴とするカメラアセンブリーに撮像された特定位置座標測定方法。
【請求項１４】
前記基準隔離距離を求める段階は、
前記基準位置マーク撮像ピクセルから前記基準カメラの第１方向側の最後のピクセルまでの第１距離を求める段階と、
前記対応位置マーク撮像ピクセルから前記隣接カメラの第１方向の逆方向側の最後のピクセルまでの第２距離を計算する段階と、
前記第１距離及び第２距離を加算する段階と、
を含んでなることを特徴とする請求項１３に記載のカメラアセンブリーに撮像された特定位置座標測定方法。
【請求項１５】
前記第１距離を求める段階は、
前記基準カメラの単位ピクセルに対応する距離に、前記基準位置マーク撮像ピクセルから前記基準カメラの第１軸の正方向側の最後のピクセルまでのピクセル数を乗算することでなり、
前記第２距離を求める段階は、
前記隣接カメラの単位ピクセルに対応する距離に、前記対応位置マーク撮像ピクセルから前記隣接カメラの第１軸の逆方向側の最後のピクセルまでのピクセル数を乗算することでなることを特徴とする請求項１４に記載のカメラアセンブリーに撮像された特定位置座標測定方法。
【請求項１６】
前記隣接カメラの特定ピクセル位置座標を求める段階は、
前記基準、対応位置マーク間の基準隔離距離及び実際隔離距離の差であるオフセット値を求める段階と、
前記オフセット値を用いて、前記隣接カメラの特定ピクセル位置座標を前記基準カメラの基準ピクセルを基準に求める段階と、
を含むことを特徴とする請求項１３ないし請求項１５のうち何れか一項に記載のカメラアセンブリーに撮像された特定位置座標測定方法。
【請求項１７】
前記基準、記対応カメラのそれぞれの単位ピクセルに対応する実際距離を測定する段階をさらに含むことを特徴とする請求項１３に記載のカメラアセンブリーに撮像された特定位置座標測定方法。
【請求項１８】
前記基準、対応位置マークを位置させる段階は、
前記基準位置マークと一定の間隔を有して平行に形成されたものであって、前記基準カメラに撮像される第１長さマークと、前記対応位置マークと一定の間隔を有して平行に形成されたものであって、前記隣接カメラに撮像される第２長さマークとを位置させる段階をさらに含み、
前記基準カメラの単位ピクセルに対応する距離を求める段階は、
前記基準位置マークと第１長さマークとの間の実際距離を、前記基準位置マークが撮像されたピクセルと前記第１長さマークが撮像されたピクセルとの間のピクセル個数で割ることでなることを特徴とする請求項１７に記載のカメラアセンブリーに撮像された特定位置座標測定方法。
【請求項１９】
前記隣接カメラ上の特定ピクセルの位置座標を前記基準カメラの基準ピクセルを基準に測定する段階以後には、
特定基準点を基準に、前記基準カメラの基準ピクセル位置座標値を求める段階と、
前記基準カメラの基準ピクセルからの特定ピクセルの位置座標値と、前記基準点からの前記第１カメラの基準ピクセル位置座標値とを加算する段階と、
をさらに含むことを特徴とする請求項１３に記載のカメラアセンブリーに撮像された特定位置座標測定方法。
【発明の詳細な説明】
【技術分野】
【０００１】
本発明は、アレイテスト装置と、該アレイテスト装置の基板一地点位置測定方法と、カメラアセンブリーに撮像された特定位置座標測定方法とに関し、より詳細には、複数のカメラとして基板に形成された電極の電気的欠陥の有無を検査するアレイテスト装置と、該アレイテスト装置の基板一地点位置測定方法と、複数のカメラを備えたカメラアセンブリーで撮像されたピクセルの位置座標を測定する方法とに関する。
【背景技術】
【０００２】
電光機器とは、電気エネルギーを供給されて光を発する装置であって、ＬＣＤ（Ｌｉｑｕｉｄ Ｃｒｙｓｔａｌ Ｄｉｓｐｌａｙ）、ＰＤＰ（Ｐｌａｓｍａ Ｄｉｓｐｌａｙ Ｐａｎｅｌ）などの平板ディスプレイ装置を含む概念である。
【０００３】
前記電光機器は、通常、電極が形成された基板を備える。例えば、ＴＦＴ（Ｔｈｉｎ Ｆｉｌｍ Ｔｒａｎｓｉｓｔｅｒ）ＬＣＤ基板は、ＴＦＴ基板と、カラーフィルター及び共通電極が形成されて、前記ＴＦＴ基板と対向配置されたカラー基板と、前記ＴＦＴ基板とカラー基板との間に注入された液晶及びバックライトとを備える。
【０００４】
前記基板上に形成された電極の欠陷は、アレイテスト装置（ａｒｒａｙ ｔｅｓｔｅｒ）によって検査される。前記アレイテスト装置は、少なくとも一つのモジュレーターヘッドを備える。モジュレーターヘッドは、少なくとも一方向に移送されながら基板電極の不良位置を探すものであって、モジュレーターブロックと、カメラとを備える。
【０００５】
前記モジュレーターブロックは、前記基板電極との間に電場を形成させるためのモジュレーター電極と、前記電場の大きさによって物性が変わる物性変化部とを備える。前記モジュレーターブロックは、基板の一部分に対してアレイテストを実施後に、隣接する次のテスト位置に移動して、前記アレイテストを反復する。
【０００６】
カメラは、前記モジュレーターブロックの前記基板の反対側に配されて、前記モジュレーターブロック及び基板を撮影する。前記物性変化部で物性が変化するにつれて基板電極のうち不良のある地点がカメラに撮影されたピクセルは、他のピクセルと差がある。これにより、前記カメラのピクセルの位置座標値で不良電極の位置を探す。
【０００７】
ところが、モジュレーターヘッドごとに単一カメラが設置される。これにより、前記カメラのＦＯＶ（Ｆｉｅｌｄ ｏｆ Ｖｉｅｗ）の大きさは限界がある。
【０００８】
特に、ディスプレイのサイズが大型化されるにつれて、前記ディスプレイの基板電極の良否を迅速に検出するためには、次第に大面積のＦＯＶを有したカメラを必要とするが、これは現実的に不可能である。
【０００９】
同様に、前記カメラのサイズが増加するほど、大きな駆動電力が必要となり、カメラのコストも幾何級数的に多くかかる。
【発明の概要】
【発明が解決しようとする課題】
【００１０】
本発明は、一回に撮影されるＦＯＶが、ディスプレイのサイズに合わせて、制御可能な構造を有すると同時に、大きな駆動電圧が不要で製造コストが低減されるアレイテスト装置を提供することを目的とする。
【００１１】
同様に、前記アレイテスト装置で、不良基板電極の位置を迅速で正確に把握することができるアレイテスト装置の基板一地点位置測定方法を提供することを目的とする。
【００１２】
また、本発明の他の目的は、カメラアセンブリーに備えられた複数のカメラで同時に撮影対象物を撮影する場合、撮影対象物の一地点の位置を正確で迅速に把握することができるカメラアセンブリーに撮像された特定位置座標測定方法を提供することである。
【課題を解決するための手段】
【００１３】
本発明の実施形態によるアレイテスト装置は、テストされる基板を支持するテスト部と、前記テスト部の上に隣接して配されて、少なくとも前記テスト部に位置した基板の不良位置を検出する少なくとも一つのモジュレーターヘッドと、を含む。
【００１４】
そして、前記モジュレーターヘッドは、固定ブロックと、基準カメラ及び少なくとも一つの隣接カメラが一定に配されるように、前記固定ブロックに結合されたカメラアセンブリーと、前記固定ブロックに分離可能に結合されたものであって、前記カメラアセンブリーと前記基板との間に位置し、前記カメラアセンブリーを成すカメラの焦点距離に合わせて配された位置表示部材を備える座標測定用モジュレーターブロックと、を備える。前記位置表示部材は、前記基準カメラによって撮像される基準位置マーク及び前記隣接カメラのそれぞれに撮像される少なくとも一つの対応位置マークが形成される。
【００１５】
本発明の他の側面で、前記のような構造を有したアレイテスト装置に適用可能な基板一地点位置測定方法であって、前記隣接カメラ上のピクセルのそれぞれの位置座標を前記基準カメラの基準ピクセルを基準に求める段階と、前記基板の既定の基準点を基準にした前記基準カメラの基準ピクセルの位置座標値及び前記基準ピクセルを基準にした前記基板の一地点を撮像したピクセルの位置座標値を加算する段階と、を含む。
【００１６】
本発明のまた他の側面での望ましい実施形態によるカメラアセンブリーに撮像された特定位置座標測定方法は、基準カメラ及び少なくとも一つの隣接カメラを含み、少なくとも水平移動可能なカメラアセンブリーを備えた装備で、前記隣接カメラの特定ピクセルに撮像された位置を測定する方法であって、前記基準カメラに撮像される基準位置マーク及び前記隣接カメラに撮像され、前記基準位置マークと第１軸の正方向に実際隔離距離ほど離隔した対応位置マークとを配置させる段階と、前記基準、対応位置マークを前記基準、対応カメラでそれぞれ撮像する段階と、前記基準カメラのＦＯＶ及び隣接カメラのＦＯＶが正確にかみ合う場合の前記基準、対応位置マーク撮像ピクセル間の距離である基準隔離距離を求める段階と、前記基準、対応位置マーク間の実際隔離距離及び基準隔離距離を用いて、前記離隔カメラの特定ピクセル位置座標を前記基準カメラの基準ピクセルを基準に求める段階と、を含む。
【発明の効果】
【００１７】
本発明によれば、複数のカメラが同時に基板上を撮影することによって、一回に撮影される領域が広くなると同時に、それぞれのカメラを駆動させる駆動電圧が低くなり、カメラのコストが低減される。
【００１８】
また、基板の特定基準点を基準に基準カメラの基準ピクセルの位置座標のみティーチングすれば、隣接カメラのそれぞれのピクセルの位置座標を求めることができるので、特定位置の測定時間が短縮される。
【００１９】
また、基板の特定基準点を基準に隣接カメラの特定ピクセルを別途にティーチングする必要がないので、前記ティーチングによる誤差が減って、特定位置を正確に求めることができる。
【図面の簡単な説明】
【００２０】
【図１】本発明の望ましい実施形態によるアレイテスト装置を概略的に示した斜視図である。
【図２】図１のカメラアセンブリーのＦＯＶを示した背面図である。
【図３】カメラアセンブリーに撮像された特定位置座標測定方法の各段階を示した概念図であって、基準カメラ基準位置マーク撮像ピクセルと隣接カメラの対応位置マーク撮像ピクセルとの間の実際隔離距離を求める段階を示した図である。
【図４】カメラアセンブリーに撮像された特定位置座標測定方法の各段階を示した概念図であって、基準位置マーク撮像ピクセルと対応位置マーク撮像ピクセルとの間の基準隔離距離を求める段階を示した図である。
【図５】カメラアセンブリーに撮像された特定位置座標測定方法の各段階を示した概念図であって、基準隔離距離及び実際隔離距離の間の差を求めて、第１オフセット値を求める段階を示した図である。
【図６】カメラアセンブリーに撮像された特定位置座標測定方法の各段階を示した概念図であって、基準カメラと離隔カメラとの間の第２オフセット値を求める段階を示した図である。
【図７】カメラアセンブリーに撮像された特定位置座標測定方法の各段階を示した概念図であって、基準カメラの基準ピクセルを基準に離隔カメラの特定位置ピクセルの位置座標値を求める段階を示した図である。
【図８】カメラアセンブリーに撮像された特定位置座標測定方法の各段階を示した概念図であって、基板の基準点を基準に離隔カメラの特定位置ピクセルの位置座標値を求める段階を示した図である。
【図９】隣接カメラが複数個である場合のオフセット値を求める段階を示した図である。
【発明を実施するための形態】
【００２１】
以下、添付した図面を参照して、本発明の実施形態を詳しく説明する。
【００２２】
図１は、本発明の望ましい実施形態によるアレイテスト装置の一例を概略的に示した斜視図である。この場合、アレイテスト装置１０とは、基板２に形成された基板電極の電気的欠陷をテストする装備である。
【００２３】
前記基板２は、平板ディスプレイパネルに備えられた一つのパネルであり、例えば、ＴＦＴ ＬＣＤ基板でＴＦＴが形成されたＴＦＴパネルであり得る。
【００２４】
アレイテスト装置１０は、テストモジュール５０と、ローディング部２０と、テスト部３０と、アンローディング部４０とを備えることができる。
【００２５】
ローディング部２０は、少なくとも二つ以上のローディングプレート２２を備えることができる。前記ローディングプレート２２は、互いに遊隙を有して平行に配され、テストされる基板が支持される。前記基板２は、基板チャック７０によって支持されてテスト部３０に移送されることができる。
【００２６】
テスト部３０は、前記ローディング部２０の一側に配され、ここで、前記ローディングプレート２２に沿って移送された基板２の電気的欠陷がテストされる。前記テスト部３０は、前記基板が載置されるテスト用ステージ３２と、前記基板２の基板電圧に電圧を印加するための電圧印加部３８とを備えることができる。
【００２７】
テストモジュール５０は、前記テスト部３０の上側、または下側、あるいは上側及び下側に共に配されて、前記テスト用ステージ３２上に配された基板電極のエラー有無を検出する。
【００２８】
前記テストモジュール５０は、少なくとも一つ以上のモジュレーターヘッド１００を備える。
【００２９】
前記モジュレーターヘッド１００は、少なくとも一軸方向に水平移動可能に配され、固定ブロック１１０と、カメラアセンブリー１２０と、座標測定用モジュレーターブロック１３０とを備える。
【００３０】
固定ブロック１１０は、前記テスト部３０を横切る方向に配されたガントリー６０のガイドに沿って水平移動可能に結合される。
カメラアセンブリー１２０は、基準カメラ１２１及び少なくとも一つの隣接カメラ１２３からなる複数のカメラを備える。前記カメラアセンブリー１２０は、全体的に長方形、正方形などに配列される。アレイテスト作業時に、前記カメラアセンブリーに備えられたカメラは、同時に基板２上を撮影する。したがって、前記カメラアセンブリーに備えられたカメラの数に比例して一回に撮影される区間が広くなり、テスト時間が短縮される。また、それぞれのカメラのサイズが大きくないので、これを駆動する駆動電力が大きくない。
【００３１】
座標測定用モジュレーターブロック１３０は、前記固定ブロック１１０に分離可能に結合されたものであって、実際アレイテスト作業前に、前記隣接カメラ１２３のそれぞれのピクセル位置座標を前記基準カメラ１２１の基準ピクセルを基準に求める。すなわち、隣接カメラ１２３のそれぞれのピクセル位置座標を前記隣接カメラ１２３ごとの基準ピクセルを基準に求めるのではなく、基準カメラの基準ピクセル一つのみを基準に求めることができるによって、基板と基準ピクセルとの間の位置をティーチングすれば、前記それぞれのピクセルに対応する位置座標を迅速に求めるようになる。
【００３２】
前記座標測定用モジュレーターブロック１３０は、前記カメラの焦点距離に合わせて配された位置表示部材１４０を備える。
【００３３】
図２は、前記位置表示部材１４０を下側から示した背面図である。図２に示されるように、前記位置表示部材１４０には、前記基準カメラのＦＯＶ（Ｆ１２１）内に撮像される基準位置マーク１４１及び前記隣接カメラのそれぞれのＦＯＶ（Ｆ１２３）内に撮像される対応位置マーク１４３が一定の間隔Ｇ１、Ｇ２を有して形成される。
【００３４】
また、前記位置表示部材１４０には、それぞれ前記基準カメラ及びそれぞれの隣接カメラのＦＯＶ（Ｆ１２１）内に撮像されるものであって、前記それぞれの位置マーク１４１、１４３と一定の間隔ｋを有して離隔配された複数の長さマーク１４５が形成される。前記基準位置マーク１４１、対応位置マーク１４３、及び長さマーク１４５の機能については後述する。
【００３５】
再び図１に戻って、前記カメラアセンブリー１２０を成すカメラ１２１、１２３のそれぞれのピクセルの位置座標を前記基準カメラ１２１の基準ピクセルを基準に求めた後には、前記座標測定用モジュレーターブロック１３０を固定ブロック１１０から分離し、未図示されたテスト用モジュレーターブロックを前記固定ブロックに結合させてアレイテスト作業を行う。
【００３６】
前記テスト用モジュレーターブロックは、前記固定ブロックに昇降自在に結合されたものであって、前記基板電極との間に電場を形成し、前記電場の強さによってカメラに撮像される明度及び／または彩度などの特性が異なって、基板に形成された電気的欠陷位置が分かる。
【００３７】
すなわち、まず、座標測定用モジュレーターブロック１３０を通じてカメラのそれぞれのピクセルの位置を基準カメラ１２１の基準ピクセルを基準に分かっているので、テスト用モジュレーターブロックで前記基板２の基準点から基準カメラの基準ピクセル間の位置座標のみティーチングすれば、不良が発生した基板電極を撮像したピクセルの実際位置座標を基板の基準点を基準に求めることができる。
【００３８】
アンローディング部４０は、前記テスト部３０の一側に配され、前記テスト完了した基板が、前記テスト部３０からここに移送されて外部に移動する。この場合、アンローディング部４０は、前記テスト完了したパネルが、ここに載置または所定の間隔をおいて浮揚して移動させるアンローディングプレート４２を備えることができる。
【００３９】
この場合、前記ローディング部２０のローディングプレート２２と、アンローディング部４０のアンローディングプレート４２とには、圧力を基板方向に供給して、前記基板を浮揚する空気ホール２４、４４があり得る。
【００４０】
しかし、本発明に適用可能なアレイテスト装置１０は、図１に限定されるものではない。すなわち、基板２は固定支持板に固定され、テストモジュール５０がＸ、Ｙ軸に移動しながら基板電極のエラー有無をテストすることもでき、テストモジュール５０が水平方向に固定され、基板２がＸ、Ｙ軸に移動しながら基板電極のエラー有無をテストされることもある。
【００４１】
前記のような構造を有したアレイテスト装置で使われる基板一地点の位置を測定する方法の各段階は、次の通りである。まず、前記隣接カメラ１２３上のピクセルのそれぞれの位置座標を前記基準カメラ１２１の基準ピクセルＰ１を基準に求めた後、前記基板の既定の基準点を基準にした前記基準カメラの基準ピクセルＰ１の位置座標値と、前記基準ピクセルを基準にした前記基板の一地点を撮像したピクセルの位置座標値とを加算することによって、特定位置の位置座標を基板の基準点から求める。
【００４２】
本発明によれば、一つのカメラアセンブリーで、複数のカメラ上に位置したすべてのピクセルのそれぞれが一つのカメラ（基準カメラ）の基準ピクセルを基準にその位置座標が定められる。これにより、カメラアセンブリーを成すカメラが全体的に一つのＦＯＶを有するようになって、前記大きさを有したＦＯＶを有した一つのカメラと同一な効果をもたらす。
【００４３】
また、モジュレーターヘッドに含んだ基準カメラの基準ピクセルが基板の基準点から離隔した位置座標値のみ把握すれば、カメラアセンブリーを成すそれぞれのカメラのピクセルの位置が基板の基準点から分かるので、それぞれのカメラごとに別途に基板基準点との離隔位置を設定する必要がなくなる。
【００４４】
図３ないし図８は、本発明の実施形態によるアレイテスト装置１０の基板一地点位置測定方法の各段階を示した図である。この場合、説明の便宜上、前記基準カメラの第１軸（図面では、Ｘ軸）に離隔した単一離隔カメラを基準に説明するが、本発明は、第１軸方向に複数の離隔カメラを有する場合または第２軸方向に複数の離隔カメラを有する場合または第１軸及び第２軸方向に複数の離隔カメラを有する場合にも適用可能である。
【００４５】
図３に示されるように、基準カメラ１２１（図１参照）のＦＯＶ（Ｆ１２１）内に撮像される基準位置マーク１４１を基準カメラ１２１（図１参照）で、前記隣接カメラのＦＯＶ（Ｆ１２３）内に撮像される対応位置マーク１４３を前記隣接カメラ１２３（図１参照）で撮影する。これにより、前記基準位置マーク１４１は、前記基準カメラの基準位置マーク撮像ピクセルＰ１２１に撮像され、前記対応位置マーク１４３は、前記隣接カメラの対応位置マーク撮像ピクセルＰ１２３に撮像される。この場合、前記基準位置マーク１４１及び対応位置マーク１４３の間には、実際離隔距離Ｇ１が既に定められている。
【００４６】
次いで、図４ないし図６に示されるように、隣接カメラ上のピクセルのそれぞれの位置座標を前記基準カメラの基準ピクセルを基準に求める段階に至る。図４ないし図６と、図１とを参照して、それぞれの段階を詳しく説明する。
【００４７】
まず、図４に示されるように、前記カメラのＦＯＶが正確にかみ合う場合の前記基準位置マーク撮像ピクセルＰ１２１と前記対応位置マーク撮像ピクセルＰ１２３との間の第１軸方向の距離である基準隔離距離Ｌを求めた後、図５に示されるように、前記基準隔離距離Ｌと実際隔離距離Ｇ１との差を求める。
【００４８】
すなわち、図４に示されるように、前記第１カメラの基準位置マーク撮像ピクセルＰ１２１から前記第１軸の正方向側の最後のピクセルＰｒ１までの第１距離Ｌ１を求め、前記第２カメラの対応位置マーク撮像ピクセルＰ１２３から前記第１軸の逆方向側の最後のピクセルＰｒ２までの第２距離Ｌ２を求める。次いで、前記第１距離Ｌ１及び第２距離Ｌ２を加算することによって、基準隔離距離Ｌを求める。
【００４９】
次いで、図５に示されるように、前記基準隔離距離Ｇ１及び前記実際隔離距離Ｌの差を求めることによって、第１軸方向の第１オフセット値Ｏｓ１を求める。これにより、前記隣接カメラのＦＯＶと基準カメラのＦＯＶとがかみ合うかどうか、離隔されるかまたは重畳されるか、そして、その離隔距離及び重畳量を把握することができる。
【００５０】
一方、前記離隔カメラは、基準カメラから第２軸（図面では、Ｙ軸）にずれが発生することがある。これにより、図６に示されるように、前記基準カメラから離隔カメラの第２軸のずれ量である第２オフセット値Ｏｓ２を求める。
【００５１】
そのために、前記基準位置マーク撮像ピクセルＰ１２１から、前記基準カメラの第２軸方向の一端ピクセルＰｒ３までの距離である第３距離Ｌ３を求める段階と、前記対応位置マーク撮像ピクセルＰ１２３から前記隣接カメラの第２軸方向の一端ピクセルＰｒ４までの距離である第４距離Ｌ４を求める段階と、前記第３距離及び第４距離の差Ｌ３−Ｌ４を求めることによって、第２オフセット値Ｏｓ２を求める。
【００５２】
前記段階を経ることによって、基準カメラの基準ピクセルを基準に、前記隣接カメラのピクセルのそれぞれでの位置座標値を求める。
【００５３】
すなわち、図７に示されるように、前記基準ピクセルＰ１から第１軸上の先端ピクセルＰｒ５までの距離がＬ５であり、前記隣接カメラでの特定ピクセルＰｘ位置値が（ａ１、ｂ１）であれば、前記隣接カメラの特定ピクセル位置値は、基準カメラの基準ピクセルを基準に（Ｐｒ５＋ａ１−Ｏｓ１、ｂ１−Ｏｓ２）になる。
【００５４】
例えば、基準カメラのＦＯＶ（Ｆ１２１）及び隣接カメラＦＯＶ（Ｆ１２３）の間に一部重畳されて第１オフセット値Ｏｓ１が１０であり、第２オフセット値Ｏｓ２が−２と仮定する。また、前記基準ピクセルＰ１から第１軸の先端ピクセルまでの距離Ｐｒ５が２００と仮定する。
【００５５】
それでは、前記隣接カメラの特定ピクセル位置値が（５０、５０）であれば、前記隣接カメラの特定ピクセル位置値は、基準カメラの基準ピクセルを基準に（２００＋５０−１０、５０＋２）である（２４０、５２）になる。
【００５６】
前記位置座標値は、前記ピクセル値を実際距離値に換算した座標値であり得る。この場合、前記ピクセルの位置座標値に単位ピクセル距離を乗算すれば、容易にピクセルの実際距離が分かる。
【００５７】
前記基準カメラの一ピクセル及び隣接カメラの一ピクセルの実際距離を求める方法は、多様である。その一つの例として、単位時間に一つの測定マークをカメラが一定の速度で移動しながら撮影すれば、その移動距離が分かり、前記移動距離を撮像されたピクセル数で割れば、簡単に単位ピクセルの実際距離が分かる。
【００５８】
これとは違って、図２に示されるように、前記位置表示部材には、前記位置マーク１４１、１４３のそれぞれに一定の間隔を有して平行に形成された長さマーク２２５が、前記それぞれのカメラに対応して少なくとも一つずつ配され、前記それぞれのカメラに対応する位置マーク１４１、１４３及び長さマーク１４５の間の距離を、前記位置マークが撮像されたピクセルと前記長さマークが撮像されたピクセルとの間のピクセル個数で割ることで隣接カメラ及び基準カメラでのピクセルのそれぞれの実際距離を求める。
【００５９】
次いで、図面には図示されていないが、座標測定用モジュレーターブロックをテスト用モジュレーターブロックに置き換えた後、実際アレイテスト作業を実施し、これにより、前記不良が発生した基板電極の位置が撮影される。
【００６０】
次いで、図８に示されるように、前記基板２の既定の基準点Ｐ０を基準にした前記基準カメラの基準ピクセルＰ１の位置座標値（ａ，ｂ）、及び前記基準ピクセルを基準にした前記基板の一地点を撮像したピクセルＰｘの位置座標値（ｃ，ｄ）を加算する段階を経る。これにより、基板の如何なる位置に不良が発生したのかを簡単で正確に分かる。
【００６１】
隣接カメラ１２３のピクセルのそれぞれの位置座標は、既に基準カメラ１２１の基準ピクセルＰ１を基準に設定されているので、前記段階で、前記テスト用モジュレーターブロックが基板の基準点から離隔した位置座標（ａ，ｂ）をティーチングすればよい。
【００６２】
本発明によれば、隣接カメラ１２３が複数個に多く配列されていても、実際に基準カメラ１２１の基準ピクセルＰ１のみの位置座標のみティーチングすれば、すべての隣接カメラのピクセルのそれぞれの位置座標を求めるようになる。これにより、実際アレイテスト作業時にそれぞれの隣接カメラを別途にティーチングする工程を経ていないので、ティーチング工程による誤差発生を防止することができ、テスト時間が短縮されるという長所がある。
【００６３】
一方、前記基準カメラ１２１には隣接しないが、前記基準カメラ１２１に直接隣接した第１隣接カメラに隣接した第２隣接カメラの場合にも、前記のような方法によって位置座標を測定することができる。
【００６４】
すなわち、図９に示されるように、まず、前記第１隣接カメラのＦＯＶ（Ｆ１２３＿ａ）内の位置マーク撮像ピクセルＰ１２３＿ａの位置座標値を求める。次いで、前記第２隣接カメラのＦＯＶ（Ｆ１２３＿ｂ）上のピクセルのそれぞれの位置座標値を基準カメラの基準ピクセルＰ１を基準に求める。
【００６５】
そのために、前記第１隣接カメラの対応位置マーク１４３ａを基準にした前記第２隣接カメラの対応位置マーク１４３ｂのオフセット値Ｏｓ３、Ｏｓ４を求める。前記オフセット値Ｏｓ３、Ｏｓ４を求める方法は、前記第１隣接カメラの対応位置マークのオフセット値Ｏｓ１、Ｏｓ２を前記基準カメラの基準位置マーク撮像ピクセルＰ１２１を基準に求める方法と同一である。例えば、第１隣接カメラの対応位置マーク１４３ａの撮像ピクセルＰ１２３＿ａと前記第２隣接カメラの対応位置マーク１４３ｂの撮像ピクセルＰ１２３＿ｂとの間の実際隔離距離Ｇ２及び基準隔離距離（Ｌ６＋Ｌ７）の間の差を求めることで第２軸方向のオフセット値が分かる。
【００６６】
これにより、求めた前記第２隣接カメラの前記第１隣接カメラに対するオフセット値Ｏｓ３、Ｏｓ４と、前記基準カメラに対して前記第１隣接カメラのオフセット値Ｏｓ１、Ｏｓ２とを加算すれば、基準カメラに対する第２隣接カメラのオフセット値が求められる。
【００６７】
本発明は、前記アレイテスト装置に限定されるものではない。基準カメラ及び少なくとも一つの隣接カメラを含み、少なくとも水平移動可能なカメラアセンブリーを備えた装備に適用可能である。前記隣接カメラの特定ピクセルに撮像された位置を測定する方法として適用可能である。前記特定ピクセルに撮像された位置を測定する方法は、前記した方法と同一であるので、これについての詳細な説明は省略する。
【００６８】
以上、本発明の望ましい実施形態を中心に説明した。当業者は、本発明が、本発明の本質的な特性から外れない範囲で変形された形態として具現可能であるということを理解できるであろう。したがって、開示された実施形態は限定的な観点ではなく、説明的な観点で考慮されなければならない。本発明の範囲は、特許請求の範囲に表われており、それと同等な範囲内にあるあらゆる差点は、本発明に含まれたものと解析されなければならない。
【産業上の利用可能性】
【００６９】
本発明は、アレイテスト装置と、該アレイテスト装置の基板一地点位置測定方法と、カメラアセンブリーに撮像された特定位置座標測定方法に関連する技術分野に適用可能である。
【符号の説明】
【００７０】
２  基板
１０  アレイテスト装置
２０  ローディング部
２２  ローディングプレート
２４  空気ホール
３０  テスト部
３２  テスト用ステージ
３８  電圧印加部
４０  アンローディング部
４２  アンローディングプレート
４４  空気ホール
５０  テストモジュール
６０  ガントリー
７０  基板チャック
１００  モジュレーターヘッド
１１０  固定ブロック
１２０  カメラアセンブリー
１２１  基準カメラ
１２３  隣接カメラ
１３０  モジュレーターブロック
２００  位置表示部材
２２１  基準位置マーク
２２３  対応位置マーク
２２５  長さマーク
【図１】
2010156684.tif 000003
【図２】
2010156684.tif 000004
【図３】
2010156684.tif 000005
【図４】
2010156684.tif 000006
【図５】
2010156684.tif 000007
【図６】
2010156684.tif 000008
【図７】
2010156684.tif 000009
【図８】
2010156684.tif 000010
【図９】
2010156684.tif 000011